(57)【特許請求の範囲】
【請求項１】
取付部材（２）の取付面（２７）又は被取付部材（４）の被取付面（３７）の一方に、係止体（２８）が突設されると共に、他方に、係合爪（３８）が突設され、前記係止体（２８）は、取付面（２７）又は被取付面（３７）から突出した係止基部（３１）と、取付面（２７）又は被取付面（３７）から浮き上がった状態で係止基部（３１）から突出した係止突片（３２）とを有し、前記係合爪（３８）は、被取付面（３７）又は取付面（２７）から突出した突出基部（３９）と、突出基部（３９）の突出端側から鉤形に突出した係合部（４０）とを有し、取付面（２７）又は被取付面（３７）と係止突片（３２）との間の係止基部（３１）側に、嵌合部（３３）が設けられ、係合爪（３８）の係合部（４０）を、取付面（２７）又は被取付面（３７）と係止体（２８）の係止突片（３２）との間を通して嵌合部（３３）に嵌合させることにより、取付部材（２）に被取付部材（４）を着脱自在に固定するようにした被取付部材の固定構造であって、
係止突片（３２）と被取付面（３７）又は取付面（２７）との間に、前記係合部（４０）が嵌合部（３３）に嵌合するときに、係合部（４０）を嵌合部（３３）に保持すべく係脱自在に係合する係合機構（４３）が設けられ、
前記係合機構（４３）は、係止突片（３２）の基部側の外面に設けた係合凹部（４４）と、被取付面（３７）又は取付面（２７）に設けた係合凸部（４５）とを有し、前記係合爪（３８）の係合部（４０）が、取付面（２７）又は被取付面（３７）と係止体（２８）の係止突片（３２）との間を通って嵌合部（３３）に嵌合する際に、係合凸部（４５）で、係止突片（３２）の係合部通過位置よりも先端側を、取付面（２７）又は被取付面（３７）側に弾性変形させるべく押圧し、これにより、係合爪（３８）の係合部（４０）が、取付面（２７）又は被取付面（３７）と係止体（２８）の係止突片（３２）との間で上下に挟持され、かつ、係止体（２８）の係止突片（３２）が、被取付面（３７）又は取付面（２７）と係合爪（３８）の係合部（４０）との間で上下に挟持された状態になるように構成されていることを特徴とする被取付部材の固定構造。
【請求項２】
取付部材（２）に被取付部材（４）を着脱自在に固定するようにした被取付部材の固定構造において、
前記取付部材（２）の取付面（２７）又は被取付部材（４）の被取付面（３７の一方に、一対の係止体（２８）が、各係止体（２８）の端部間に爪挿入口（２９）を残して、環状に並ぶように突設されると共に、他方に、一対の係止体（２８）に係脱自在に係合する一対の係合爪（３８）が突設され、
前記一対の係止体（２８）は、取付面（２７）又は被取付面（３７）から突出した係止基部（３１）と、取付面（２７）又は被取付面（３７）から浮き上がった状態で係止基部（３１）から対応する爪挿入口（２９）に向けて突出した係止突片（３２）とを有し、取付面（２７）又は被取付面（３７）と各係止体（２８）の係止突片（３２）との間の係止基部（３１）側に、取付面（２７）又は被取付面（３７）と係止基部（３１）と係止突片（３２）とで囲まれた嵌合部（３３）が設けられ、
前記一対の係合爪（３８）は、被取付面（３７）又は取付面（２７）から突出した突出基部（３９）と突出基部（３９）の突出端側に設けられた係合部（４０）とを有し、一対の係合爪（３８）の突出基部（３９）同士は、被取付部材（４）の回動操作により、対応する係止体（２８）に沿って移動するように、互いに離間され、一対の係合爪（３８）の係合部（４０）は、前記被取付部材（４）の回動操作により、爪挿入口（２９）から取付面（２７）又は被取付面（３７）と係止体（２８）の係止突片（３２）との間を通って嵌合部（３３）に嵌合するように、前記各突出基部（３９）の先端側から鉤形に突出され、
係止突片（３２）と被取付面（３７）又は取付面（２７）との間に、前記係合部（４０）が嵌合部（３３）に嵌合するときに、係合部（４０）を嵌合部（３３）に保持すべく係脱自在に係合する係合機構（４３）が設けられ、
前記係合機構（４３）は、係止突片（３２）の基部側の外面に設けた係合凹部（４４）と、被取付面（３７）又は取付面（２７）に設けた係合凸部（４５）とを有し、前記係合爪（３８）の係合部（４０）が、取付面（２７）又は被取付面（３７）と係止体（２８）の係止突片（３２）との間を通って嵌合部（３３）に嵌合する際に、係合凸部（４５）で、係止突片（３２）の係合部通過位置よりも先端側を、取付面（２７）又は被取付面（３７）側に弾性変形させるべく押圧し、これにより、係合爪（３８）の係合部（４０）が、取付面（２７）又は被取付面（３７）と係止体（２８）の係止突片（３２）との間で上下に挟持され、かつ、係止体（２８）の係止突片（３２）が、被取付面（３７）又は取付面（２７）と係合爪（３８）の係合部（４０）との間で上下に挟持された状態になるように構成されていることを特徴とする被取付部材の固定構造。
【請求項３】
前記係合機構（４３）の係合が外れる際に、係合部（４０）が嵌合部（３３）から外れるのを阻止すべく、係合機構（４３）で、係止突片（３２）の嵌合部（３３）よりも先端側を取付面（２７）又は被取付面（３７）側に押圧するように構成されていることを特徴とする請求項１又は２に記載の被取付部材の固定構造。
【請求項４】
前記係止体（２８）及び係合爪（３８）の取付面（２７）又は被取付面（３７）からの突出長さが、係合部（４０）が嵌合部（３３）に嵌合したときに、係止体（２８）が被取付面（３７）又は取付面（２７）に接当しかつ係合爪（３８）が取付面（２７）又は被取付面（３７）に接当するように、設定されていることを特徴とする請求項１〜３のいずれかに記載の被取付部材の固定構造。
【請求項５】
前記一対の係合爪（３８）の係合部（４０）が、突出基部（３９）の先端側から一対の係合爪（３８）の離間方向外方に突設され、一対の係合爪（３８）の突出基部（３９）の外面（３９ａ）同士の離間幅が、一対の係止体（２８）の対向する内面（２８ａ）同士の離間幅に対応するように設定され、前記被取付部材（４）の回動操作により、各係合爪（３８）の突出基部（３９）が、一対の係止体（２８）の対向する内面（２８ａ）に沿って摺動するように形成されていることを特徴とする請求項２に記載の被取付部材の固定構造。
【請求項６】
取付面（２７）又は被取付面（３７）の一方の爪挿入口（２９）に、一対の係合爪（３８）が、各係止体（２８）に対応するように位置決めするストッパー（３４）が設けられていることを特徴とする請求項２又は５に記載の被取付部材の固定構造。
【請求項７】
前記取付部材（２）が、自転車のハンドル（１）に、外嵌して着脱自在に締め付け固定されていることを特徴とする請求項１〜６のいずれかに記載の被取付部材の固定構造。
【請求項８】
前記被取付部材（４）が、所定操作により音声を発する録音再生装置であることを特徴とする請求項１〜７のいずれかに記載の被取付部材の固定構造。
【請求項９】
前記被取付部材（４）が、所定操作により音を発する音発生装置であることを特徴とする請求項１〜７のいずれかに記載の被取付部材の固定構造。
【発明の詳細な説明】
【０００１】
【発明の属する技術分野】
本発明は、取付部材に被取付部材を着脱自在に固定するようにした被取付部材の固定構造に関する。
【０００２】
【従来の技術】
例えば、自転車のハンドルに、外嵌してボルト等の締結具で締め付け固定された締付環を取付部材として、照明灯、ブザー等の被取付部材を着脱自在に固定するようにしたものがあるが、この種の従来の被取付部材の固定構造は、例えば、締付環等の取付部材の取付面に、Ｌ字状に屈曲した係止体を突設すると共に、照明灯、ブザー等の被取付部材の被取付面に係合爪を突設し、係合爪を、係止体と取付面との間に挿入して嵌合することにより、取付部材に被取付材を着脱自在に固定するようにしていた。
【０００３】
【発明が解決しようとする課題】
しかし、従来の固定構造では、単に取付部材の取付面と係止体との間に係合爪を嵌合させているのみであったため、取付部材に対して被取付部材を簡単に取り付けできるように係止体と係合爪との係合を弛めに設定すれば、取付部材に固定した被取付部材が取付部材に対してガタ付いたり不測に外れたりするおそれがあった。また、係止体に対する係合爪の係合をきつめに設定すれば、係合体と取付面との間に係合爪の嵌合するのに相当な力を要し、被取付部材の取り付けが困難になった。また、係止体と係合爪との係合をきつく設定していても、取付部材に対して被取付部材の着脱を繰り返すと、係止体と係合爪との係合が次第に甘くなり、短期間の使用によって取付部材に取り付けた被取付部材がガタ付いたり不測に外れたりするおそれを生じた。
【０００４】
本発明は上記問題点に鑑み、被取付部材を取付部材に対して簡単に取付けできると共に、ガタ付いたり不測に外れたりするおそれなく長期間にわたって確実かつ強固に固定できるようにしたものである。
【０００５】
【課題を解決するための手段】
この技術的課題を解決する本発明の技術手段は、取付部材２の取付面２７又は被取付部材４の被取付面３７の一方に、係止体２８が突設されると共に、他方に、係合爪３８が突設され、前記係止体２８は、取付面２７又は被取付面３７から突出した係止基部３１と、取付面２７又は被取付面３７から浮き上がった状態で係止基部３１から突出した係止突片３２とを有し、前記係合爪３８は、被取付面３７又は取付面２７から突出した突出基部３９と、突出基部３９の突出端側から鉤形に突出した係合部４０とを有し、取付面２７又は被取付面３７と係止突片３２との間の係止基部３１側に、嵌合部３３が設けられ、係合爪３８の係合部４０を、取付面２７又は被取付面３７と係止体２８の係止突片３２との間を通して嵌合部３３に嵌合させることにより、取付部材２に被取付部材４を着脱自在に固定するようにした被取付部材の固定構造であって、
係止突片３２と被取付面３７又は取付面２７との間に、前記係合部４０が嵌合部３３に嵌合するときに、係合部４０を嵌合部３３に保持すべく係脱自在に係合する係合機構４３が設けられ、
前記係合機構４３は、係止突片３２の基部側の外面に設けた係合凹部４４と、被取付面３７又は取付面２７に設けた係合凸部４５とを有し、前記係合爪３８の係合部４０が、取付面２７又は被取付面３７と係止体２８の係止突片３２との間を通って嵌合部３３に嵌合する際に、係合凸部４５で、係止突片３２の係合部通過位置よりも先端側を、取付面２７又は被取付面３７側に弾性変形させるべく押圧し、これにより、係合爪３８の係合部４０が、取付面２７又は被取付面３７と係止体２８の係止突片３２との間で上下に挟持され、かつ、係止体２８の係止突片３２が、被取付面３７又は取付面２７と係合爪３８の係合部４０との間で上下に挟持された状態になるように構成されている点にある。
【０００６】
本発明の他の技術手段は、取付部材２に被取付部材４を着脱自在に固定するようにした被取付部材の固定構造において、
前記取付部材２の取付面２７又は被取付部材４の被取付面３７の一方に、一対の係止体２８が、各係止体２８の端部間に爪挿入口２９を残して、環状に並ぶように突設されると共に、他方に、一対の係止体２８に係脱自在に係合する一対の係合爪３８が突設され、
前記一対の係止体２８は、取付面２７又は被取付面３７から突出した係止基部３１と、取付面２７又は被取付面３７から浮き上がった状態で係止基部３１から対応する爪挿入口２９に向けて突出した係止突片３２とを有し、取付面２７又は被取付面３７と各係止体２８の係止突片３２との間の係止基部３１側に、取付面２７又は被取付面３７と係止基部３１と係止突片３２とで囲まれた嵌合部３３が設けられ、
前記一対の係合爪３８は、被取付面３７又は取付面２７から突出した突出基部３９と突出基部３９の突出端側に設けられた係合部４０とを有し、一対の係合爪３８の突出基部３９同士は、被取付部材４の回動操作により、対応する係止体２８に沿って移動するように、互いに離間され、一対の係合爪３８の係合部４０は、前記被取付部材４の回動操作により、爪挿入口２９から取付面２７又は被取付面３７と係止体２８の係止突片３２との間を通って嵌合部３３に嵌合するように、前記各突出基部３９の先端側から鉤形に突出され、
係止突片３２と被取付面３７又は取付面２７との間に、前記係合部４０が嵌合部３３に嵌合するときに、係合部４０を嵌合部３３に保持すべく係脱自在に係合する係合機構４３が設けられ、
前記係合機構４３は、係止突片３２の基部側の外面に設けた係合凹部４４と、被取付面３７又は取付面２７に設けた係合凸部４５とを有し、前記係合爪３８の係合部４０が、取付面２７又は被取付面３７と係止体２８の係止突片３２との間を通って嵌合部３３に嵌合する際に、係合凸部４５で、係止突片３２の係合部通過位置よりも先端側を、取付面２７又は被取付面３７側に弾性変形させるべく押圧し、これにより、係合爪３８の係合部４０が、取付面２７又は被取付面３７と係止体２８の係止突片３２との間で上下に挟持され、かつ、係止体２８の係止突片３２が、被取付面３７又は取付面２７と係合爪３８の係合部４０との間で上下に挟持された状態になるように構成されている点にある。
【０００７】
本発明の他の技術手段は、前記係合機構４３の係合が外れる際に、係合部４０が嵌合部３３から外れるのを阻止すべく、係合機構４３で、係止突片３２の嵌合部３３よりも先端側を取付面２７又は被取付面３７側に押圧するように構成されている点にある。
本発明の他の技術手段は、前記係止体２８及び係合爪３８の取付面２７又は被取付面３７からの突出長さが、係合部４０が嵌合部３３に嵌合したときに、係止体２８が被取付面３７又は取付面２７に接当しかつ係合爪３８が取付面２７又は被取付面３７に接当するように、設定されている点にある。
【０００８】
本発明の他の技術手段は、前記一対の係合爪３８の係合部４０が、突出基部３９の先端側から一対の係合爪３８の離間方向外方に突設され、一対の係合爪３８の突出基部３９の外面３９ａ同士の離間幅が、一対の係止体２８の対向する内面２８ａ同士の離間幅に対応するように設定され、前記被取付部材４の回動操作により、各係合爪３８の突出基部３９が、一対の係止体２８の対向する内面２８ａに沿って摺動するように形成されている点にある。
本発明の他の技術手段は、取付面２７又は被取付面３７の一方の爪挿入口２９に、一対の係合爪３８が、各係止体２８に対応するように位置決めするストッパー３４が設けられている点にある。
【０００９】
本発明の他の技術手段は、前記取付部材２が、自転車のハンドル１に、外嵌して着脱自在に締め付け固定されている点にある。
本発明の他の技術手段は、前記被取付部材４が、所定操作により音声を発する録音再生装置である点にある。
本発明の他の技術手段は、前記被取付部材４が、所定操作により音を発する音発生装置である点にある。
【００１０】
【発明の実施の形態】
以下、本発明を図示の実施の形態に従って説明する。
図１〜図７は本発明の一実施の形態を示している。図１〜図５及び図７において、１は自転車のハンドルで、このハンドル１に取付部材２が外嵌されてボルト等の締結具３により締め付け固定されている。この取付部材２を介してハンドル１に録音再生装置である被取付部材４が取り付けられている。
取付部材２は、一対の挟持体７，８を備える。各挟持体７，８は、合成樹脂等により構成され、一方の挟持体７の一端部には、嵌合凸部９が設けられ、他方の挟持体８の一端部には嵌合凸部９に対応する嵌合溝部１０が設けられ、挟持体７，８の一端部同士は、嵌合溝部１０に嵌合凸部９を嵌合することにより着脱可能に連結されている。
【００１１】
取付部材２は、一対の挟持体７，８でハンドル１を挟持するようにハンドル１に外嵌され、一対の挟持体７，８の他端部同士をボルトナット等の締結具３により締め付けることにより、ハンドル１に対して着脱自在に締め付け固定されている。
被取付部材（録音再生装置）４は、上ケース１３と下ケース１４とを凹凸嵌合等によって着脱自在に接合してなるケース体１５を備える。この上ケース１３及び下ケース１４は合成樹脂等により構成され、ケース体１５内に、マイク１６、基板１７、スピーカ１８、電池１９等が設けられ、上ケース１３に録音ボタン２１と再生ボタン２２とが組み込まれ、下ケース１４にはマイク１６に対応して通孔２３が設けられると共に、スピーカ１８に対応して複数のスリット孔２４が設けられており、録音ボタン２１を押圧操作しながら、マイク１６に向けて声を出すことにより音声をＩＣ等で構成した録音部に録音できると共に、再生ボタン２２を押圧操作（ボタン操作、スイッチ操作等の所定操作）することにより、録音した音声をスピーカ１８から発することができるように構成されている。また、下ケース１４にストラップ連結用の孔２５が設けられている。
【００１２】
取付部材２の挟持体８の上面には平坦な取付面２７が形成され、この取付面２７に、一対の係止体２８が、各係止体２８の端部間に爪挿入口２９を残して、環状に並ぶように突設されている。各係止体２８は円弧状に形成されており、一対の係止体２８と一対の爪挿入口２９とは環状に並ぶように配置されている。一対の係止体２８は、例えば弾性を有する合成樹脂により挟持体８と一体に成形されている。
一対の係止体２８は、取付面２７から突出した係止基部３１と、取付面２７から浮き上がった状態で係止基部３１から対応する爪挿入口２９に向けて突出した係止突片３２とを有する。取付面２７と各係止体２８の係止突片３２との間の係止基部３１側に、取付面２７と係止基部３１と係止突片３２とで囲まれた嵌合部３３が設けられている。取付面２７の一方の爪挿入口２９に、ストッパー３４が突設され、後述する被取付部材４の一対の係合爪３８の一方を接当させることにより、一対の係合爪３８が、各係止体２８に対応するように爪挿入口３１に位置決めするように構成されている。
【００１３】
被取付部材４の下ケース１３の下面には平坦な被取付面３７が形成され、この被取付面３７に、一対の係止体２８に係脱自在に係合する一対の係合爪３８が突設されている。この一対の係合爪３８は、例えば弾性を有する合成樹脂により下ケース１３と一体に成形されている。一対の係合爪３８は、被取付面３７から突出した突出基部３９と突出基部３９の突出端側に設けられた係合部４０とを有している。
一対の係合爪３８の突出基部３９の外面３９ａは、係止体２８の内面２８ａ形状に対応した円弧面に形成されると共に、一対の突出基部３９の外面３９ａ間の離間幅が、一対の係止体２８の内面２８ａ間の離間幅に対応するように設定され、一対の係合爪３８の係合部４０は、各突出基部３９の先端側から一対の突出基部３９の離間方向外方に向けて鉤形に突出されている。従って、一対の係合爪３８を取付面２７の各爪挿入口２９にセットした状態で、一対の係合爪３８間の中央を通る縦軸Ｘ廻りに被取付部材４を回動操作することにより、一対の突出基部３９が一対の係止体２８の内面２８ａに沿って摺動し、一対の係合爪３８の係合部４０が、爪挿入口２９から取付面２７と対応する係止体２８の係止突片３２との間を通って嵌合部３３に嵌合するようになっている。
【００１４】
前記係止体２８及び係合爪３８の取付面２７又は被取付面３７からの突出長さは、係合部４０が嵌合部３３に嵌合したときに、係止体２８が被取付面３７に接当し、かつ係合爪３８が取付面２７に接当するように、設定されている。
前記一方の係止突片３２と被取付部材４の被取付面３７との間に、係合機構４３が設けられている。係合機構４３は、係止突片３２の基部側の外面に設けた係合凹部４４と、被取付面３７に設けた係合凸部４５とを有し、係合爪３８の係合部４０が、取付面２７と係止体２８の係止突片３２との間を通って嵌合部３３に嵌合する際に、係合凸部４５で、係止突片３２の係合部通過位置よりも先端側を、取付面２７側に弾性変形させるべく押圧するように構成されている。また、係合凸部４５と係合凹部４４との係合が外れる際に、係合凸部４５で、係止突片３２の嵌合部３３よりも先端側を取付面２７側に押圧して、係合部４０が嵌合部３３から外れるのを阻止するように構成されている。
【００１５】
従って、係合機構４３は、係合部４０が嵌合部３３に嵌合するときに、係合部４０を嵌合部３３に保持すべく係脱自在に係合し、係合機構４３の係合が外れる際（係合しているとき）に、係合部４０が嵌合部３３から外れるのを阻止すべく、係止突片３２の嵌合部３３よりも先端側を取付面２７側に押圧するようになっている。
上記実施の形態によれば、録音再生装置である被取付部材４を自転車のハンドル１に取り付ける場合、自転車のハンドル１に締め付け固定した取付部材２に対して、図１に示すように、前側から近づけて、一方の係合爪３８をストッパー３４に前側から接当させると、取付面２７と被取付面３７とが対向して、一対の係合爪３８が一対の爪挿入口２９に簡単にセットされるので、その後は、被取付部材４を、縦軸Ｘ廻りに図１に示す矢印ａ方向に回動操作すればよく、これにより、一対の突出基部３９が一対の係止体２８の内面２８ａに沿って摺動し、一対の係合爪３８の係合部４０が、爪挿入口２９から取付面２７と係止体２８の係止突片３２との間を通って嵌合部３３に嵌合する。
【００１６】
このとき、係合凸部４５は、係止突片３２の外面を摺動して、係止突片３２の係合部通過位置よりも先端側を、取付面２７側に弾性変形させるべく押圧しながら移動し、係合部４０が嵌合部３３に嵌合すると同時に係合凸部４５が係止突片３２の係合凹部４４に係合する。
これにより、一対の係合爪３８の係合部４０を一対の係止体２８の各嵌合部３３に簡単な操作で嵌合させて、取付部材３に被取付部材４を簡単に取付けることができる。また、このとき、図６に示すように、一対の係合爪３８の各係合部４０が、取付面２７と一対の係止体２８の係止突片３２との間で上下に挟持され、かつ、一対の係止体２８の各係止突片３２が、被取付面３７と一対の係合爪３８の各係合部４０との間で上下に挟持された状態になる。また、一対の係合爪３８が、一対の係止体２８間で挟持された状態になるため、取付部材２に対して録音再生装置である被取付部材４がガタ付いたりするおそれなく強固に固定される。
【００１７】
しかも、係合凸部４５と係合凹部４４とが係合しているため、外部から何らかの外力が作用して、係合部４０が嵌合部３３から外れようとすると、係合凸部４５と係合凹部４４との係合が外れることにより、係合凸部４５で、係止突片３２の嵌合部３３よりも先端側を取付面２７側に押圧して、係合部４０が嵌合部３３から外れるのを阻止するように作用するため、外部から多少の力が加わっても、係合部４０が嵌合部３３から外れることがなくなり、取付部材２が被取付部材４に対してガタ付いたり、不測に外れたりするおそれなく取付部材２に被取付部材４を強固に固定することができる。
【００１８】
図８及び図９は他の実施の形態を示し、被取付部材４として、再生録音装置に代えて、音発生装置を使用するようにしたものである。この音声発生装置（被取付部材）４は、ゴム等の弾性材により構成された半球状の操作体４９を有し、操作体４９を握って押圧乃至圧縮操作（所定操作）することにより、ラッパ音がなるように構成されており、被取付部材４を取付部材２から取り外して、自転車から分離した状態で携帯することにより、サッカー等の試合の応援グッツとして便利に使用できるようになっている。その他の点は前記実施の形態の場合と同様の構成であり、前記実施の形態の場合と同様の作用効果を有する。
【００１９】
図１０〜図１２に他の実施の形態を示し、取付面２７に突設した一対の係止体２８を、直線状に形成すると共に、一対の係止体２８を間隔をおいて互いに平行に配置したものであり、一対の係止体２８は、前記実施の形態の場合と同様に、取付面２７から突出した係止基部３１と、取付面２７から浮き上がった状態で係止基部３１から係止突片３２とを有し、取付面２７と各係止体２８の係止突片３２との間の係止基部３１側に、取付面２７と係止基部３１と係止突片３２とで囲まれた嵌合部３３が設けられている。
【００２０】
被取付面３７に突設した一対の係合爪３８は、前記一対の係止体２８に対応するように配置され、前記実施の形態の場合と同様に、被取付面３７から突出した突出基部３９と突出基部３９の突出端側に設けられた係合部４０とを有している。
一対の突出基部３９の外面３９ａ間の離間幅が、一対の係止体２８の内面２８ａ間の離間幅に対応するように設定されており、一対の係合爪３８を一対の係止体２８に一致させて、被取付部材４を取付部材２に対して矢印方向に直線移動させることにより、一対の突出基部３９が一対の係止体２８の内面２８ａに沿って摺動し、一対の係合爪３８の係合部４０が、取付面２７と対応する係止体２８の係止突片３２との間を通って嵌合部３３に嵌合するようになっている。
【００２１】
各係止突片３２と被取付部材４の被取付面３７との間に、係合機構４３が一対設けられている。各係合機構４３は、前記実施の形態の場合と同様に、係止突片３２の基部側の外面に設けた係合凹部４４と、被取付面３７に設けた係合凸部４５とを有し、係合爪３８の係合部４０が、取付面２７と係止体２８の係止突片３２との間を通って嵌合部３３に嵌合する際に、係合凸部４５で、係止突片３２の係合部通過位置よりも先端側を、取付面２７側に弾性変形させるべく押圧するように構成されている。また、係合凸部４５と係合凹部４４との係合が外れる際に、係合凸部４５で、係止突片３２の嵌合部３３よりも先端側を取付面２７側に押圧して、係合部４０が嵌合部３３から外れるのを阻止するように構成されている。
【００２２】
その他の点は、前記図１〜図７の実施の形態又は前記図８〜図９の実施の形態の場合と同様の構成であり、前記実施の形態の場合と同様に、被取付部材４を取付部材２に対して簡単に取付けできると共に、ガタ付いたり不測に外れたりするおそれなく長期間にわたって確実かつ強固に固定できるようになる。
なお、前記実施の形態では、一対の突出基部３９の外面３９ａ間の離間幅が、一対の係止体２８の内面２８ａ間の離間幅に対応するように設定され、係合爪３８の係合部４０を嵌合部３３に嵌合させる際に、一対の突出基部３９が一対の係止体２８の内面２８ａに沿って摺動するようになっているが、これに代え、一対の突出基部３９の内面間の離間幅を、一対の係止体２８の外面間の離間幅に対応するように設定して、係合爪３８の係合部４０を嵌合部３３に嵌合させる際に、一対の突出基部３９が一対の係止体２８の外面に沿って摺動するようにしてもよい。
【００２３】
また、前記実施の形態では、取付部材２の取付面２７に、一対の係止体２８が突設されると共に、被取付部材４の被取付面３７に、一対の係合爪３８が突設されているが、これに代え、取付部材２の取付面２７に、一対の係合爪３８を突設すると共に、被取付部材４の被取付面３７に、一対の係止体２８を突設するようにしてもよい。この場合、係止突片３２が被取付面３７から浮き上がった状態で係止基部３１から突出し、被取付面３７と係止突片３２との間の係止基部３１側に、嵌合部３３が設けられ、係止突片３２と取付面２７との間に、係合機構４３が設けられる
また、取付部材２の取付面２７又は被取付部材４の被取付面３７に、突設する係止体２８又は係合爪３８の個数は、一対ずつに限定されず、１個ずつ又は３個以上ずつ設けるようにしてもよい。さらに、設けられる係止体２８の個数と係合爪３８の個数とは、互いに異なっていてもよく、例えば、係止体２８を１個設けると共に、係合爪３８を２個設けて、一つの係止体２８に対して２個の係合爪３８を係脱自在に係合させるようにしてもよい。
【００２４】
また、前記実施の形態では、自転車のハンドル１に取付部材２を介して録音再生装置又は音発生装置である被取付部材４を取り付けるようにしているが、自転車のハンドル１に代えて、被取付部材４を取付部材２を介してバイクのハンドル、キックボードのハンドル、車いすのシャーシ等に取り付けるようにしてもよい。また、ハンドル等に取り付けられる被取付部材４としては、録音再生装置又は音発生装置の他に、ラジオ、照明灯、防犯ベルその他であってもよい。
また、前記実施の形態では、自転車のハンドル１に取付部材２を着脱自在に締め付け固定するようにし、この取付部材２に係合体２８とを突設しているが、これに代え、自転車のハンドル等を取付部材２とし、ハンドル等に直接に係止体２８等を突設するようにしてもよい。
【００２５】
【発明の効果】
本発明によれば、被取付部材４を取付部材２に対して簡単に取付けできると共に、ガタ付いたり不測に外れたりするおそれなく長期間にわたって確実かつ強固に固定できる。
【図面の簡単な説明】
【図１】  本発明の一実施の形態を示す取付部材及び被取付部材の分解平面図である。
【図２】  同図１のＡ−Ａ線断面図である。
【図３】  同取付部材の正面図である。
【図４】  同被取付部材の底面図である。
【図５】  同図２のＣ−Ｃ線断面図である。
【図６】  同図１のＢ−Ｂ線断面図である。
【図７】  同自転車のハンドルに被取付部材を取り付けた状態を示す斜視図である。
【図８】  他の実施形態を示す斜視図である。
【図９】  同側面断面図である。
【図１０】  他の実施の形態を示す分解平面図である。
【図１１】  同平面断面図である。
【図１２】  同図１０のＤ−Ｄ線断面図である。
【符号の説明】
１    ハンドル
２    取付部材
３    載置台
４    被取付部材
２７    取付面
２８    係止体
２９    爪挿入口
３１    係止基部
３２    係止突片
３３    嵌合部
３４    ストッパー
３７    被取付面
３８    係合爪
３９    突出基部
４０    係合部
４３    係合機構
４４    係合凹部
４５    係合凸部
【図１】
0004195913.tif 000002
【図２】
0004195913.tif 000003
【図３】
0004195913.tif 000004
【図４】
0004195913.tif 000005
【図５】
0004195913.tif 000006
【図６】
0004195913.tif 000007
【図７】
0004195913.tif 000008
【図８】
0004195913.tif 000009
【図９】
0004195913.tif 000010
【図１０】
0004195913.tif 000011
【図１１】
0004195913.tif 000012
【図１２】
0004195913.tif 000013